(57)【要約】【課題】オペレータの疲労低減、作業効率向上と危険防止および、カメラの破損が少なく、後方で広い視野が得られ、製造コストが安価な作業車両を提供する。【解決手段】作業車両1は、上部旋回体４の後端部に位置するカウンタウェイト４１と、カウンタウェイト４１から立設される後方ボンネット４２と、上部旋回体の左右側部の内いずれか一方側部で、かつ後方ボンネット上部から立設するキャビン４３と、上部旋回体４の左右側部の内の他方側部に配置される側部ボンネットと、上部旋回体４の後部に配置され、後方ボンネット４２および側部ボンネットに取り囲まれるエンジン４５と、キャビン４３の後方で側部ボンネット側の上部に配置される撮像部５を備える。【選択図】図２
2020007759.tif 000002
【特許請求の範囲】
【請求項１】
上部旋回体と、前記上部旋回体を旋回自在に支持する下部走行体を有する作業車両であって、
上部旋回体の後端部に位置するカウンタウェイトと、
前記カウンタウェイトから立設される後方ボンネットと、
前記上部旋回体の左右側部の内いずれか一方側部で、かつ前記後方ボンネット上部から立設するキャビンと、
前記上部旋回体の左右側部の内の他方側部に配置される側部ボンネットと、
前記上部旋回体の後部に配置され、前記後方ボンネットおよび前記側部ボンネットに取り囲まれるエンジンと、
前記キャビンの後方で、かつ前記側部ボンネット側の上部に配置される撮像部と、を備える、作業車両。
【請求項２】
前記撮像部は、前記キャビンの後方で上部に設置されたバックミラー取付け座に装着される、請求項１に記載の作業車両。
【請求項３】
前記撮像部で撮影された画像を表示する表示機器をさらに備える、請求項１または２に記載の作業車両。
【請求項４】
前記撮像部と前記表示機器をつなぐ有線のケーブルをさらに備え、
前記ケーブルが、上部旋回体の左右側部の内いずれか一方側部に配置される前記キャビンのフレームであって、前記作業車両の中心より左右側部の内の他方側部のフレームに沿って配策される、請求項１から３のいずれか１項に記載の作業車両。
【発明の詳細な説明】
【技術分野】
【０００１】
本発明は、後方視認装置を備える作業車両に関する。
【背景技術】
【０００２】
特許文献１は、バックホーの後方を監視するカメラの取り付け構造として、カウンタウェイトの後方正面部に収容部を形成し、収容部内に観察視野を曲折させる反射鏡と、その反射鏡に映る観察視野の像を撮像するカメラとを配置し、収容部を透明材料の窓部で覆う構造を開示する。
【０００３】
特許文献２は、バックホーの後方を監視するカメラの取り付け構造として、カメラを支持するためのカメラブラケットをカウンタウェイト本体の上面に固定する構造を開示する。
【０００４】
特許文献３は、運転席の壁及び天井に透視投影する運転支援画像を生成するためにキャビンの外面にカメラを設置することを開示する。
【先行技術文献】
【特許文献】
【０００５】
【特許文献１】特開２００５−１８００６５号公報
【特許文献２】特開２０１６−２１２３４４号公報
【特許文献３】特開２０１６−２１２５０３号公報
【発明の概要】
【発明が解決しようとする課題】
【０００６】
しかしながら、上記特許文献１では、カウンタウェイトの下面方向に観察視野を取り込む窓部を配置していることから、カメラ本体が、破損し汚れる恐れは少ないが、窓部の破損や汚れにより観察視野を得ることができない。カウンタウェイトの中に埋め込まれかつカメラの設置高さが低くなるため、バックホーの後端部を視野の中に含めた上で広い視野を得ることができない。さらにカウンタウェイトの中に埋め込む構造は、カメラを取り付けない標準作業車両と、カメラを取り付けるオプション作業車両とでカウンタウェイト部品を共用することができず、製造コストを上昇させる。
【０００７】
また、上記特許文献２では、カメラをカウンタウェイトの上部に取り付けることから、バックホーの後端部を視野の中に含めた上で広い視野を得ることができ、カウンタウェイト等の部品を共用することができるため製造コストを上昇させない。しかし、その後端部がカウンタウェイトからエンジンを覆うボンネットが立ちあがり、そのボンネット上部から、キャビンの後壁が立ち上がる小旋回型の小型作業車両の場合、そのボンネットの扉の開放方法によっては、ボンネットの扉がカメラの取り付け位置やその配線と干渉する問題が生じ得る。
【０００８】
また、作業車両による作業においては、オペレータが作動時の安全確認のため、必要に応じて都度振り返ってバックミラーを確認する必要がある。そのため、前進／後進を頻繁に繰り返す作業では、オペレータの疲労負担が非常に大きく、また、後ろを振り返る／前に向き直る、のタイムラグによる作業の遅れをも生じ得る。また、広い視野を確認するためには、オペレータは左後方と右後方とを交互に振り返ることが必要であり、疲労負担はさらに増大する。そして危険を事前に判断するためには、対象物の正確な姿や位置を確認することが大変重要である。
【０００９】
また、上記特許文献３では、透視投影する運転支援画像を生成するために複数のカメラを設置する必要があることから、単一のカメラで撮影した画像を電子処理することなく、小旋回型の小型作業車両の後端部を視野の中に含めた上で広い視野を得るようなカメラの設置位置を開示していない。
【００１０】
また、近年、土木現場、建築現場では、大型作業車両のみならず、小型作業車両においても自主安全規制を設ける動きがある。小型作業車両において、後方安全確認、接触防止のためにバックミラーを設ける構造以外に、より後方視認性を向上させるべくバックカメラを設けることが提案されつつある。しかしながら、小型作業車両の場合、バックホーの壁面からほぼ垂直にキャビンが取り付けられるため、バックホーの後方にバックカメラを取り付けることは困難である。
【００１１】
本発明は、上記課題に鑑み、オペレータの疲労低減、作業効率向上、優れた危険防止性、破損が少なく後方視野の広い画像が得られ、および安価な製造コストが可能な作業車両、特に小型作業車両、を提供することを目的とする。
【課題を解決するための手段】
【００１２】
本発明の作業車両は、上部旋回体と、前記上部旋回体を旋回自在に支持する下部走行体を有する作業車両であって、
上部旋回体の後端部に位置するカウンタウェイトと、
前記カウンタウェイトから立設される後方ボンネットと、
前記上部旋回体の左右側部の内いずれか一方側部で、かつ前記後方ボンネット上部から立設するキャビンと、
前記上部旋回体の左右側部の内の他方側部に配置される側部ボンネットと、
前記上部旋回体の後部に配置され、前記後方ボンネットおよび/または前記側部ボンネットに取り囲まれるエンジンと、
前記キャビンの後方で、かつ前記側部ボンネット側の上部に配置される撮像部と、を備える。
【００１３】
本発明の作業車両は、いわゆる、後方小旋回型の作業車両、例えば、ミニショベルであってもよい。
また、作業車両は、前記キャビンが前記上部旋回体において防振支持されて立設される防振構造、および/または前記キャビンが前記後方ボンネット上部から防振支持されて立設される防振構造を有していてもよい。防振構造は、弾性部材などの防振部材を介して上部旋回体のフレームおよび/または後方ボンネット上方にキャビンが据え付けられる構造であってもよい。
【００１４】
また、前記撮像部は、前記キャビンの後方で上部に設置されたバックミラー取付け座に装着されていてもよい。
これにより、標準品に設置されたバックミラー取付け座に撮像部を装着できることで、標準の作業車両のキャビンと後方視認用の撮像部が装備された作業車両のキャビンとを別製造する必要がなく、よって製造コストを抑えることができる。
【００１５】
また、作業車両は、前記撮像部で撮影された画像を表示する表示機器をさらに備えていてもよい。
前記表示機器は、上部旋回体の左右側部の内いずれか一方側部（左側または右側）に配置される前記キャビンの内部に配置された操縦部の中心より左右側部の内の他方側部（右側または左側）に配置された本機操作パネル前方上側に配置されていてもよい。
前記表示機器は、キャビン側の任意のフレームに取り付けたキャビン取付け座に、専用ブラケットを固定し、この専用ブラケットを介して取り付けられていてもよい。
これにより、本機操作パネルの表示やキャビン右下（またはキャビン左下）の視界を妨げないことから、右側（または左側）クローラの先端を目視して確認することができ、危険防止に効果がある。
【００１６】
また、作業車両は、前記撮像部と前記表示機器をつなぐ有線のケーブルをさらに備え、
前記ケーブルが、上部旋回体の左右側部の内いずれか一方側部（左側または右側）に配置される前記キャビンのフレームであって、前記作業車両の中心より左右側部の内の他方側部（右側または左側）のフレームに沿って配策されていてもよい。
前記撮像部のケーブルは、アンテナ取付け付近（例えば、アンテナ取付け座付近）からキャビン内側へ導入されてもよい。
これにより、ケーブルの配策ルートに、側部ボンネットあるいは後方ボンネットなどの開閉扉などの可動部が存在しないため、ケーブルの屈曲繰り返し等による短絡、断線が起こりにくい。
また、ケーブルをキャビンなどのフレーム内側あるいは外側に沿って配策できるので、ケーブルの長さを最小とすることができ、ケーブルの製造コストを抑えることができる。
【００１７】
前記ケーブルは、前記キャビンのフレームに沿って配策され、かつ、少なくとも部分的に保護部材で覆われる構成であってもよい。
前記保護部材は、例えば、クリップ、断面凹状で長尺のケーブルカバー、フレーム形状に合わせたパネルカバーなどが挙げられる。
前記保護部材は、該保護部材を前記フレームに固定するための固定手段または脱着手段を有していてもよい。
これにより、キャビンのフレームに沿ってケーブルを配策させ、さらに保護部材でケーブルを保護できるため、長期間の過酷な使用に耐えることができる。
【発明の効果】
【００１８】
本発明によれば、後方ボンネットなどの後端部を含めた広い視野を得るこができる。また、キャビンの撮像部の取付位置を作業車両の車体中央の近くにすることができるため、撮像部から違和感の少ない映像を得られる。このためオペレータの疲労低減、作業効率向上および危険防止に効果がある。
また、上部旋回体に立設されたキャビンは、例えば防振支持されていることから作業車両側から伝達される振動や衝撃を撮像部へ伝達し難い。
また、表示機器に表示される画像をオペレータの視線移動のみで確認することができるため、前進あるいは後進を頻繁に繰り返す作業でも、オペレータの疲労負担が非常に小さく、後ろを振り返るあるいは前に向き直る、などのタイムラグによる作業の遅れもなくなる。また、広範囲を確認するためには、オペレータは左右後方を交互に振り返る必要がなくなり、疲労負担はさらに減少する。また、危険を判断するための、対象物の正確な姿や位置が認識しやすくなる。
【図面の簡単な説明】
【００１９】
【図１Ａ】実施形態１に係る作業車両を示す右後方側面斜視図。
【図１Ｂ】実施形態１に係る作業車両を示す左後方側面斜視図。
【図１Ｃ】図１Ａの撮像部周辺の一部拡大図。
【図２】実施形態１に係るケーブルの配策構造を示す斜視図。
【図３Ａ】実施形態２に係るケーブルの配策構造を示す斜視図。
【図３Ｂ】実施形態２に係るケーブルの配策構造を示す斜視図。
【発明を実施するための形態】
【００２０】
以下に、本発明の実施形態について図面を参照しながら説明する。本実施形態の作業車両の一例として後方小旋回型のミニショベルを説明する。ただし、作業車両は後方小旋回型のミニショベルに限定されず、他のバックホー、ホイルローダ等の他の車両でもよい。なお、図中、車両進行方向を「前」と「後」で、車両の幅方向を「左」と「右」で、車両の高さ方向を「上」と「下」で示す。配置を示すときに「前」は前進方向の前を、「後」は前進方向の後を意味する。「右」は「前」を向いて車両の幅方向の右を、「左」は「前」を向いて車両の幅方向の左を意味する。
【００２１】
図１Ａおよび１Ｂは、ミニショベル１の右側面斜視図および左側面斜視図であり、ミニショベル１の概略構成を説明する。ミニショベル１は、下部走行体２と、作業機３と、上部旋回体４とを備える。
【００２２】
下部走行体２は、上部旋回体４に設置されているエンジン４５からの動力を受けて駆動し、ミニショベル１を走行させる。下部走行体２は、左、右クローラ２１Ｌ、２１Ｒ及び左右一対の左、右走行モータ２２Ｌ、２２Ｒ、を備える。油圧モータである左、右走行モータ２２Ｌ、２２Ｒがそれぞれ左、右クローラ２１Ｌ、２１Ｒを駆動することでミニショベル１の前後進を可能としている。また、下部走行体２には、後進方向にブレード２３、及びブレード２３を上下方向に回動させるための油圧アクチュエータであるブレードシリンダ２４が設けられている。
【００２３】
作業機３は、エンジン４５からの動力を受けて駆動し、土砂等の掘削作業を行うものである。作業機３は、ブーム３１、アーム３２、及びバケット３３を備え、これらを独立して駆動することによって掘削作業を可能としている。
【００２４】
ブーム３１は、基端部が上部旋回体４の前部に上下方向に回転可能に支持されて、伸縮自在に可動するブームシリンダ３１ａによって回動される。また、アーム３２は、基端部がブーム３１の先端部に支持されて、伸縮自在に可動するアームシリンダ３２ａによって回動される。そして、バケット３３は、基端部がアーム３２の先端部に支持されて、伸縮自在に可動するバケットシリンダ３３ａによって回動される。ブームシリンダ３１ａ、アームシリンダ３２ａ、及びバケットシリンダ３３ａは、作業部を駆動する油圧アクチュエータに相当する。ブーム３１及びアーム３２によって多関節構造体が形成されており、ブーム３１は多関節構造体を構成する要素のうち最も基端側に配置されている。
【００２５】
上部旋回体４は、その後端部に位置するカウンタウェイト４１と、カウンタウェイト４１から立設される後方ボンネット４２と、上部旋回体４の左側部でかつ後方ボンネット４２の上部から立設するキャビン４３と、上部旋回体４の右側部に配置される右側部ボンネット４４と、上部旋回体４の後部に配置され、かつ後方ボンネット４２および右側部ボンネット４４に取り囲まれるエンジン４５を備えている。エンジン４５は破線でしめす。
また、上部旋回体４は、キャビン４３の内部に操縦部４６と、旋回台４７、旋回モータ等を備える。油圧モータである旋回モータが旋回台４７を駆動することによって上部旋回体４が旋回する。また、上部旋回体４には、エンジン４５により駆動される複数の油圧ポンプ（不図示）が配設される。これらの油圧ポンプが、ブームシリンダ３１ａ、アームシリンダ３２ａ、及びバケットシリンダ３３ａに作動油を供給する。また、油圧ポンプは、下部走行体２のスイベルジョイント（不図示）へ作動油を供給し、スイベルジョイントと各油圧ホースで接続された、ブレードシリンダ２４、左走行モータ２２Ｌ、右走行モータ２２Ｒが駆動される。
【００２６】
図１Ａ、１Ｂ、１Ｃで示すように、キャビン４３の後方でかつ右側部ボンネット４４側の上部に撮像部５が設けられている。
撮像部５は、例えば、ＣＣＤカメラ、ＣＭＯＳカメラなどが挙げられる。撮像部５は、動画を撮像することができ、静止画をキャプチャすることもできる。
【００２７】
実施形態１において、撮像部５はキャビン４３の右後立設フレーム４３１の上方に固定部材、例えばボルト６１で取り付けられたバックミラー取付け座６に、固定部材、例えば、ボルト６２で取り付けられている。本実施形態において、バックミラーはバックミラー取付け座６から取り外されている。本実施形態において、バックミラー取付け座６は、正面断面視で、下方向に向かって開口したコの字状である。開口空間に撮像部５が収納され固定される。撮像部５は、右後立設フレーム４３１の上方から下方後方に向かって画像を撮像する。撮像部５は後方ボンネット４２および／またはカウンタウェイト４１の全部または一部を含む画像を撮像するように角度調整されて固定される。
【００２８】
撮像部５はミニショベル１のほぼ左右中央の後方に設けられていることで、左右後方いずれかに偏ることなく左右後方を広範囲に撮像できる。また、撮像部５を右後立設フレーム４３１に直接取り付けるよりも、バックミラー取付け座６が緩衝機能を発揮して振動や衝撃などを吸収し、撮像部５の故障などを低減することができる。なお、バックミラー取付け座６を介して撮像部５を取り付けることに限定されず、撮像部５を直接あるいはブラケットを介して右後立設フレーム４３１に固定してもよい。
【００２９】
撮像部５から映像を送るための第一ケーブル５１は、バックミラー取付け座６の天面貫通穴６３を通じて上方に導かれ、第一クリップ４３１１ａで掛止され、アンテナ８が取り付けられるアンテナ取付け座８１の付近の貫通穴８２を通してキャビン４３内側に導かれる。第一クリップ４３１１ａは、右後立設フレーム４３１に取り付けられた支持部４３１１に固定される。キャビン４３内側に導かれた第一ケーブル５１は、右後立設フレーム４３１の内側に沿って下に伸びる。ケーブルの配策構造の詳細は後述する。
【００３０】
［実施形態１の配策構造］
図２は、実施形態１のケーブルの配策構造を示す。図２はケーブルの配策構造を説明するために必要な構成要素を示しており、他の構成要素を省略している。
【００３１】
第一ケーブル５１の先端にコネクタ５２が設けられており、このコネクタ５２と接続された第二ケーブル５３が、右後立設フレーム４３１の内側に沿って下に伸び、さらに右側前後フレーム４３２の内側に沿って操縦部４６の右側後方から右側前方に伸び、モニター７に接続される。
【００３２】
第一ケーブル５１は、右後立設フレーム４３１の内側において、断面凹状で長尺の第一ケーブルカバー２０１で覆われて保護される。第一ケーブルカバー２０１は、右後立設フレーム４３１の内側の表面に任意の固定手段で固定することができる。
【００３３】
コネクタ５２と接続された第二ケーブル５３は、右後立設フレーム４３１の内側において、上から下へ順に、断面凹状で長尺の第二、第三ケーブルカバー２０２、２０３で覆われ、右側前後フレーム４３２の内側において後から前へ順に、第四、第五ケーブルカバー２０４、２０５で覆われている。第二、第三ケーブルカバー２０２、２０３は、右後立設フレーム４３１の内側の表面に任意の固定手段で固定することができる。第四、第五ケーブルカバー２０４、２０５は、右側前後フレーム４３２の内側の表面に任意の固定手段で固定することができる。
【００３４】
第二ケーブル５３は、第二ケーブルカバー２０２と第三ケーブルカバー２０３との間で、上から下へ順に、第二、第三、第四クリップ４３１２、４３１３、４３１４で掛止され、第二、第四クリップ４３１２、４３１４は、右後立設フレーム４３１の内側面にそれぞれ固定され、第三クリップ４３１３は、キャビン後方パネル面（不図示）に固定される。
【００３５】
図２に示すように、右側前後フレーム４３２に窓カバー部４３２１が形成されており、この窓カバー部４３２１を避けるように第二ケーブル５３が配策されている。窓カバー部４３２１を避ける必要がない場合には、単一のケーブルカバーを使用してもよく、第四、第五ケーブルカバー２０４、２０５のように複数で第二ケーブル５３を覆ってもよい。
窓カバー部４３２１は、例えば、空調装置の外気導入フィルタ窓をカバーする部材である。第二ケーブル５３が窓カバー部４３２１を避けるように配策されており、右側前後フレーム４３２に形成された外気導入フィルタの窓の開閉を妨げることがなく、メンテナンス性に優れる。
【００３６】
なお、図２に限定されず、ケーブルカバーは、その数、断面凹状のサイズ（ケーブル収納サイズ）、長尺サイズは、配策ルートおよびフレーム形状に応じて設定することができる。
【００３７】
モニター７は、キャビン４３内に配置された操縦部４６の中心より右側に配置された本機操作パネル４６１（破線で示す）の前方上側に配置される。
実施形態１において、モニター７は、キャビン４３側の右側前後フレーム４３２に取り付けたキャビン取付け座７１に固定された専用ブラケット７２を介して取り付けられる。モニター７は、撮像部５で撮像された動画を表示することができる。
【００３８】
［実施形態１の変形例］
第二、第三、第四クリップ４３１２、４３１３、４３１４を用いずに、別のケーブルカバーを用いてもよく、または右後立設フレーム４３１においては、単一のケーブルカバーで、第二ケーブル５３を覆ってもよい。
また、右後立設フレーム４３１においては、第一、第二、第三ケーブルカバー２０１、２０２、２０３を用いずに、単一のケーブルカバーで、第一ケーブル５１、コネクタ５２、第二ケーブル５３を覆う構成でもよい。
各クリップあるいは各ケーブルカバーをフレームに固定する固定手段は、例えば、粘着剤、ビス、ネジ、ボルトなどが挙げられる。
【００３９】
［実施形態２の配策構造］
図３Ａ、３Ｂは、実施形態２のケーブルの配策構造を示す。図３Ａおよび３Ｂはケーブルの配策構造を説明するために必要な構成要素を示しており、他の構成要素を省略している。
実施形態２は、複数のクリップで、第一ケーブル５１と、第二ケーブル５３をフレームの内側面に固定し、その上からフレーム形状に合わせた第一、第二パネルカバー４０１、４０２で覆う構造である。
【００４０】
具体的には、実施形態１と同様に、第一ケーブル５１は、バックミラー取付け座６の天面貫通穴６３を通じて上方に導かれ、第一クリップ４３１１ａで掛止され、アンテナ取付け座８１の付近の貫通穴８２を通してキャビン４３内側に導かれる。
【００４１】
図３Ｂに示すように、第一ケーブル５１は、右後立設フレーム４３１の内側において、第一内部クリップ３０１で掛止され、第一内部クリップ３０１は右後立設フレーム４３１の内側面に固定される。
【００４２】
実施形態１と同様に、第一ケーブル５１の先端にコネクタ５２が設けられており、このコネクタ５２と接続された第二ケーブル５３が、右後立設フレーム４３１の内側に沿って下に伸び、さらに右側前後フレーム４３２の内側に沿って操縦部４６の右側後方から右側前方に伸び、モニター７に接続される。
【００４３】
図３Ｂに示すように、第二ケーブル５３は、上から下へ順に、第二、第三、第四内部クリップ３０２、３０３、３０４で掛止され、第二、第三、第四内部クリップ３０２、３０３、３０４は右後立設フレーム４３１の内側面に固定される。
さらに、第二ケーブル５３は、上から下へ順に、第三、第四クリップ４３１３、４３１４で掛止され、第三クリップ４３１３は、キャビン後方パネル面（不図示）に固定され、第四クリップ４３１４は、右後立設フレーム４３１の内側面にそれぞれ固定される。
また、コネクタ５２は、その上下方向の２か所で（本実施形態では小径の両端部で）、上から順に第五、第六内部クリップ３０５、３０６で掛止され、第五、第六内部クリップ３０５、３０６は右後立設フレーム４３１の内側面に固定される。
第一〜第六内部クリップ３０１〜３０６は、後述する第一パネルカバー４０１の貫通穴（不図示）に貫通されて着脱自在に係合する係合突起３０１ａ〜３０６ａをその先端に備える。
【００４４】
第二ケーブル５３は、右後立設フレーム４３１から右側前後フレーム４３２に導かれ、第一〜第八支持クリップ３１１〜３１８で掛止され、第一〜第八支持クリップ３１１〜３１８は右側前後フレーム４３２の内側の下部面に固定される。
第一〜第八支持クリップ３１１〜３１８は、後述する第二パネルカバー４０２の下縁部４０２３が着脱自在に挿入される第一〜第八支持溝３１１ａ〜３１８ａを有する。
第一〜第七支持クリップ３１１〜３１７は、第一〜第七支持溝３１１ａ〜３１７ａが左方向を向くように右側前後フレーム４３２の下部に固定され、第八支持クリップ３１８は、右側前後フレーム４３２の高さ中間位置で、第八支持溝３１８ａが斜め上方を向くように固定される。
【００４５】
第四支持クリップ３１４と第五支持クリップ３１５との間に、窓カバー部４３２１が形成されており、これを避けるように、保護壁４３２６が右側前後フレーム４３２面から立設さており、第二ケーブル５３が保護壁４３２６に沿って後方から前方へ導かれる。
窓カバー部４３２１は、例えば、空調装置の外気導入フィルタ窓をカバーする部材である。第二ケーブル５３が窓カバー部４３２１を避けるように配策されており、右側前後フレーム４３２に形成された外気導入フィルタの窓の開閉を妨げることがなく、メンテナンス性に優れる。
【００４６】
図３Ａにおいて、第一、第二パネルカバー４０１、４０２が設けられている。
断面視で凹状の第一パネルカバー４０１は、第一〜第四内部クリップ３０１〜３０４の係合突起３０１ａ〜３０４ａに対応した位置に４つの貫通穴を有し、これら貫通穴に係合突起３０１ａ〜３０４ａが挿入係合され固定される。この構成により、第一パネルカバー４０１は、第一ケーブル５１、コネクタ５２、第二ケーブル５３を覆い、右後立設フレーム４３１に取り付けられる。
【００４７】
第二パネルカバー４０２は、右側前後フレーム４３２の天面４３２１に当接して掛止される掛止部４０２１と、掛止部４０２１からＬ字状に下方向に延びる主面４０２２と、主面４０２２から掛止部４０２１と同じ方向にＬ字状に右方向に延びる下縁部４０２３とを有する。
主面４０２２は、第四支持クリップ３１４と第五支持クリップ３１５との間で、開口部４０２２ａが形成されている。開口部４０２２ａから、外気導入フィルタの窓の開閉が可能になっている。
【００４８】
第二パネルカバー４０２は、主面４０２２において、その長手方向に４つの貫通支持部４０２５が立設される。貫通支持部４０２５を破線で示す。貫通支持部４０２５には、その貫通部にビス（不図示）が挿入されうる。なお、第二パネルカバー４０２の貫通支持部４０２５は４つに限定されず、少なくとも２以上でもよい。貫通支持部４０２５の天面４０２５ａは、右側前後フレーム４３２の内側面４３２２に当接する。貫通支持部４０２５は、第一〜第七支持クリップ３１１〜３１７と共に、第二パネルカバー４０２の内部空間を維持するように支持する。
【００４９】
第二パネルカバー４０２の掛止部４０２１は、右側前後フレーム４３２の天面４３２１に掛止されると共に、第二パネルカバー４０２の下縁部４０２３は、第一〜第八支持クリップ３１１〜３１８の支持溝３１１ａ〜３１８ａに嵌め込まれる。
これにより、第二パネルカバー４０２は、第二ケーブル５３を覆い、右側前後フレーム４３２に取り付けられる。
【００５０】
［実施形態２の変形例］
第一〜第四内部クリップ３０１〜３０４で第一パネルカバー４０１を固定していたが、これに制限されず、他の固定手段で固定してもよい。
また、第三、第四クリップ４３１３、４３１４は、省略されていてもよい。
第二パネルカバー４０２は、第一〜第八支持溝３１１ａ〜３１８ａで固定されていたが、これに制限されず、他の固定手段で固定されていてもよい。
右側前後フレーム４３２は、１または2以上の中空円筒部を有し、第二パネルカバー４０２は、中空円筒部に着脱自在に挿入され係合される突起部を有していてもよい。
各クリップあるいは各パネルカバーをフレームに固定する固定手段は、例えば、粘着剤、ビス、ネジ、ボルトなどが挙げられる。
【００５１】
［別実施形態］
本実施形態１、２について図面に基づいて説明したが、具体的な構成は、これらの実施形態に限定されない。本実施形態１、２は、上述した実施形態の説明だけではなく特許請求の範囲によって示され、さらに特許請求の範囲と均等の意味および範囲内でのすべての変更が含まれる。
【００５２】
第一クリッ４３１１ａを用いずに、右後立設フレーム４３１に沿って伸びるケーブルカバーで第一ケーブル５１を覆う構成でもよい。
撮像部５は、キャビン４３の左右立設フレーム間の壁パネルに取り付けられていてもよく、キャビン４３の天井支柱（天井フレーム）に取り付けられていてもよい。
また、撮像部５は１つに限定されず、複数設けられていてもよく、キャビンの異なる位置に設けられていてもよい。
【符号の説明】
【００５３】
１        ミニショベル
２        下部旋回体
２０１    第一ケーブルカバー
２０３    第二ケーブルカバー
２０４    第三ケーブルカバー
２０５    第四ケーブルカバー
２０５    第五ケーブルカバー
３        作業機
４        上部旋回体
４１      カウンタウェイト
４２      後方ボンネット
４３      キャビン
４０１    第一パネルカバー
４０２    第二パネルカバー
４３１    右後立設フレーム
４３２    右側前後フレーム
４４      右側部ボンネット
４５      エンジン
４６      操縦部
４６１    本機操作パネル
５        撮像部
５１      第一ケーブル
５２      コネクタ
５３      第二ケーブル
６        バックミラー取付け座
７        モニター
７１      キャビン取付け座
７２      専用ブラケット
８        アンテナ
８１      アンテナ取付け座
８２      貫通穴
【図１Ａ】
2020007759.tif 000003
【図１Ｂ】
2020007759.tif 000004
【図１Ｃ】
2020007759.tif 000005
【図２】
2020007759.tif 000006
【図３Ａ】
2020007759.tif 000007
【図３Ｂ】
2020007759.tif 000008